(57)【要約】【課題】  感光体上の適切な位置に光ビームが結像するよう調整できる走査光学装置を提供して、静電印刷機器等の高画質化を安定して実現する。【解決手段】  光ビームを回転多面鏡で走査し、感光体上に光書きこみを行う走査光学装置にあって、光ビームを前記感光体に照射するための折り返しミラーを有し、前記折り返しミラーを支持する部材が、前記折り返しミラーの反射面を支持すると共に、前記折り返しミラーの反射面と反対側の面近傍でベース部材に固定されている走査光学装置において、前記折り返しミラーを支持する部材が前記折り返しミラーよりも下側の位置で前記ベース部材に固定されていることを特徴とする。【選択図】  図１
2007017776.tif 000002
【特許請求の範囲】
【請求項１】
光ビームを回転多面鏡で走査し、感光体上に光書きこみを行う走査光学装置にあって、光ビームを前記感光体に照射するための折り返しミラーを有し、前記折り返しミラーを支持する部材が、前記折り返しミラーの反射面を支持すると共に、前記折り返しミラーの反射面と反対側の面近傍でベース部材に固定されている走査光学装置において、前記折り返しミラーを支持する部材が前記折り返しミラーよりも下側の位置で前記ベース部材に固定されていることを特徴とする走査光学装置。
【請求項２】
前記折り返しミラーを支持する部材の前記折り返しミラーの反射面側の上端が、前記折り返しミラーの反射面側の上端よりも下側に位置していることを特徴とする請求項１記載の走査光学装置。
【請求項３】
前記折り返しミラーを支持する部材の前記折り返しミラーの受け部が、前記折り返しミラー側に突出していることを特徴とする請求項１または２記載の走査光学装置。
【請求項４】
前記折り返しミラーが弾性を有することを特徴とする請求項１乃至３の何れか１項に記載の走査光学装置。
【発明の詳細な説明】
【技術分野】
【０００１】
本発明は、レーザビームプリンタ、複写機などの静電印刷機器の書き込みユニットとして装備される走査光学装置関し、特に折り返しミラーを用いて感光体上の走査位置決めを行う場合、折り返しミラーの調整代の拡大を図った走査光学装置に関するものである。
【背景技術】
【０００２】
従来より、静電印刷機器の書き込みユニットとして装備される走査光学装置が知られており、前記走査光学装置の基本的な構成の一例として、レーザ光源部、回転多面鏡、結像レンズ系、折り返しミラーを備えたものがある。
【０００３】
走査光学装置では、レーザ光源部から出射した光ビームは回転多面鏡によって偏向・走査され、結像レンズ系を通過して折り返しミラーに到達する。前記折り返しミラーに到達した前記光ビームは感光体の方へ折り返され、帯電されている前記感光体上に潜像を形成する。
【０００４】
ところで、レーザ光源部のアライメント、結像レンズ系のレンズ形状やアライメントにより光ビームの進行方向が変化し、光ビームの折り返しミラー上の位置が変化してしまう。このとき、前記折り返しミラーがベース部材に完全固定されていると、感光体上の適切な位置に光ビームが結像できず、静電印刷機器への応用においては、印刷位置ズレや印刷画像のボケなどの不具合が発生してしまう。
【０００５】
このため、走査光学装置を組立てる際に、折り返しミラーの位置、角度、傾きなどを適宜調整し、感光体上の適切な位置に光ビームを結像させることが行われている。
【０００６】
例えば、折り返しミラーの両端が支持部材に挿入され、前記支持部材はフレーム部材に回転自在に固定され、さらに、前記フレーム部材には長穴が設けられており、前記支持部材を水平方向に移動させることができる（例えば、特許文献１参照。）。本構成によると、前記フレーム部材に長穴が設けられているため、前記折り返しミラーの位置に関して、調整代を充分に確保することが容易である。また、前記支持部材は前記フレーム部材に対して回転自在に固定しているため、前記折り返しミラーの角度に関して、調整代を充分に確保することが容易である。しかしながら、前記折り返しミラーの傾きに関しては、調整代は前記支持部材と前記フレーム部材の長穴とのガタの範囲などのみであり、事実上考慮されていない、感光体上の走査線が前記感光体に対して斜行している場合、折り返しミラーの傾きを調整することにより、前記走査線の斜行を相殺することができ、静電印刷機器への応用において、高品質な画像を得ることができる。
【０００７】
従来例を、図２〜図４を用いてより詳しく説明する。
【０００８】
従来例では、ベース部材１に設けられた２本の支柱２の上に折り返しミラー３が配され、前記折り返しミラー３の反射面の両端部付近は支持部材である板バネ４で支持されている。前記板バネ４の前記折り返しミラー３に接する部分には、球面受け部５が設けられている。前記板バネ４の前記折り返しミラー３の反射面側の端部は、前記折り返しミラー３の抜け止めの為、前記折り返しミラー３の上方へ曲げられている。さらに、前記板バネ４は、前記折り返しミラー３の下部を通り、前記折り返しミラー３の背面にまわり、前記折り返しミラー３より上方の位置で前記ベース部材１にネジ固定されている。
【０００９】
前記ベース部材１の前記折り返しミラー３の背面と対向する面には、ネジ穴が３ヶ所設けられており、このうち、図２における向かって左側には前記折り返しミラー３の高さ方向の中心付近に１ヶ所、右側には前記折り返しミラー３の高さ方向の中心線を基準として概略線対称となる位置に２ヶ所が配されている。
【００１０】
前記ベース部材１に設けられた３ヶ所のネジ穴には、調整用ネジ６が前記ベース部材１を貫通して取り付けられ、前記調整用ネジ６の先端は前記折り返しミラー３の背面に接している。３本の前記調整用ネジ６の前記ベース部材１からの突出量をそれぞれ変化させることにより、前記折り返しミラー３の位置、角度、傾きを適宜調整し、感光体上の適切な位置に光ビームが結像するように調整が行われる。
【００１１】
尚、前記板バネ４は、前記ベース部材１に設けられた２本の支柱２と前記調整用ネジ６とに干渉しないように、長穴７が設けられている。図２では図示されていないが、前記長穴７は前記折り返しミラー３の背面にかけて連続している。
【００１２】
【特許文献１】特開２００３−９８４６０号公報
【発明の開示】
【発明が解決しようとする課題】
【００１３】
しかしながら、この従来例には、次のような問題点がある。この問題点を図４により説明する。前記調整用ネジ６を前記折り返しミラー３側に突出させていくと、前記折り返しミラー３が前記板バネ４を前方へ押し出すが、前記板バネ４は前記折り返しミラー３の上方でベース部材１にネジ固定されている為、ここを支点に前記板バネ４の前記折り返しミラー３の背後の部分が前記ベース部材１から浮きあがり、前記折り返しミラー３の下端に接触してしまい、折り返しミラー３をより下方に傾けることが不可能となってしまう。また、特に図４中の調整用ネジ６のうち、上側の調整用ネジ６を突出させていった場合、前記折り返しミラー３が前記板バネ４の球面受け部５で回転し、前記折り返しミラー３の上端が前記板バネ４と接触してしまい、前記折り返しミラー３をより下方に傾けることが不可能とになってしまう。このため前記折り返しミラー３の調整範囲が限定され、図４中には図示しないレーザ光源部のアライメント、結像レンズ系のレンズ形状やアライメントによっては、感光体上の適切な位置に光ビームが結像するよう調整ができない。
【００１４】
このような問題を解決する手段として、前記板バネ４のバネ定数を下げ、前記板バネ４を撓み易くするという方法がある。しかしながら、バネ定数を下げると前記板バネ４の固有振動数が低下し、静電印刷機器等への応用において、他の回転部品との共振を引き起こし、高品質な画像を得ることができないという問題がある。
【００１５】
本発明は、これらの問題点に着目して、折り返しミラー３と、その固定方法を改良することにより、折り返しミラー３の調整代を拡大し、静電印刷機器等への応用において、感光体上の適切な位置に光ビームが結像するよう調整できる走査光学装置を提供して、静電印刷機器等の高画質化を安定して実現することを目的としている。
【課題を解決するための手段】
【００１６】
上記目的は、折り返しミラーを支持する部材が前記折り返しミラーよりも下側の位置でベース部材に固定することによって達成される。
【発明の効果】
【００１７】
本発明によれば、折り返しミラーの調整代が拡大され、静電印刷機器等への応用において、感光体上の適切な位置に光ビームが結像するための調整裕度が増大し、高画質を有する静電印刷機器等を安定して実現できる。
【発明を実施するための最良の形態】
【００１８】
以下に、本発明の実施例を図１を用いて説明する。
【実施例１】
【００１９】
図１に示す実施例では、図３に示す従来例に対し、以下の点を変更した。板バネ４のベース部材１側の端部を折り返しミラー３の下端より突出しない位置とし、なおかつ、前記板バネ４の前記ベース部材１への固定位置を、前記折り返しミラー３よりも下方とした。
【００２０】
これにより、前記調整用ネジの６前記折り返しミラー３側への突出に伴い、前記折り返しミラー３が前記板バネ４を前方へ押し出しても、前記板バネ４は前記折り返しミラー３の下方でベース部材１にネジ固定されており、また板バネ４のベース部材１側の端部は前記折り返しミラー３の下端より突出していない為、前記板バネ４と前記折り返しミラー３との接触を回避できる。このため、前記折り返しミラー３を図３に示した従来例よりも下方に傾けることが可能である。
【００２１】
さらに、前記板バネ４の前記折り返しミラー３反射面側端部を前記板バネ４の球面受け部５の近傍とした。これにより、調整用ネジ６のうち、上側の調整用ネジ６を突出させていった場合、前記折り返しミラー３が前記板バネ４の球面受け部５で回転するが、前記板バネ４の端部は前記折り返しミラー３より下方にある為、前記折り返しミラー３の上端と前記板バネ４との接触を回避でき、前記折り返しミラー３を図３に示した従来例よりも下方に傾けることが可能である。
【００２２】
以上説明したのように、本発明によれば、折り返しミラーの調整代が拡大され、静電印刷機器等への応用において、感光体上の適切な位置に光ビームが結像するための調整裕度が増大し、高画質を有する静電印刷機器等を安定して実現できる。
【産業上の利用可能性】
【００２３】
本発明は、レーザビームプリンタ、複写機などの静電印刷機器の書き込みユニットとして装備される走査光学装置において、特に折り返しミラーを用いて感光体上の走査位置決めを行う場合、折り返しミラーの調整代の拡大を図った走査光学装置に関して利用できる。
【図面の簡単な説明】
【００２４】
【図１】本発明による走査光学装置の折り返しミラー保持構造を示す一部断面側面図。（実施例１）
【図２】従来の走査光学装置の折り返しミラー保持構造を示す正面図。
【図３】従来の走査光学装置の折り返しミラー保持構造を示す一部断面側面図。
【図４】従来の走査光学装置の折り返しミラー保持構造を示す一部断面側面図。
【符号の説明】
【００２５】
１  ベース部材
２  支柱
３  折り返しミラー
４  板バネ
５  板バネの球面受け部
６  調整用ネジ
７  長穴
【図１】
2007017776.tif 000003
【図２】
2007017776.tif 000004
【図３】
2007017776.tif 000005
【図４】
2007017776.tif 000006